(57)【要約】【課題】  本発明は、表示可能な色に幅を持たせて、極め細かな態様を表示すると共に遊技の興趣を向上させることができる。【解決手段】  遊技機１は、表側において所定の画像を表示可能な液晶表示装置７０と、液晶表示装置７０の表側において配備されるとともに透光性を有する部材で形成された装飾部材２００とを備える。液晶表示装置７０には、装飾部材２００の裏側において装飾部材２００の形状に沿うような画像が表示される。【選択図】       図５
2005270139.tif 000002
【特許請求の範囲】
【請求項１】
表側において所定の画像を表示可能な表示手段と、
前記表示手段を制御する表示制御手段と、
前記表示手段の表側において配備されるとともに透光性を有する部材で形成された装飾部材とを備える遊技機であって、
前記表示制御手段は、前記装飾部材の裏側において該装飾部材の形状に沿うような画像を前記表示手段に表示させることを特徴とする遊技機。
【請求項２】
遊技領域を流下する遊技球の方向を変化可能な遊技部材が配備され、該遊技領域の少なくとも一部が前記表示手段の表側に配備された遊技盤が備えられており、
前記遊技盤は、少なくとも一部が透光性を有する部材で形成されており、
前記装飾部材は、前記表示手段と前記遊技盤に形成されている前記部材との間に配備されることを特徴とする請求項１に記載の遊技機。
【請求項３】
前記遊技盤と前記表示手段とを離間させるための離間部材と、
遊技盤の裏側に配備され、遊技球が通過可能に形成された裏通路部とが備えられており、
前記装飾部材は、該装飾部材の一端側が前記離間部材に取り付けられ、該装飾部材の他端側が前記裏通路部に取り付けられることを特徴とする請求項１又は請求項２のいずれかに記載の遊技機。
【請求項４】
前記画像は、キャラクター又は背景を含む画像であることを特徴とする請求項１に記載の遊技機。
【請求項５】
前記装飾部材は、前記表示手段に表示された画像からの光を拡散させるための光拡散部を備えることを特徴とする請求項１、請求項２又は請求項４のいずれかに記載の遊技機。
【発明の詳細な説明】
【技術分野】
【０００１】
本発明は、パチンコ遊技機等の遊技機に関する。
【背景技術】
【０００２】
従来においては、所定色（例えば、赤、青、緑又は黄）の光を発光可能な発光素子ＬＥＤが複数配備されている遊技機が提供されている（例えば、特許文献１参照）。これらの発光素子が互いに異なる色を発光することにより、装飾効果が向上されるとともに遊技の興趣が向上される。
【特許文献１】特開２００３−３３９９６６号公報
【発明の開示】
【発明が解決しようとする課題】
【０００３】
しかしながら、上述の遊技機は、異なる色を発光可能な複数のＬＥＤが備えられても、異なる色を組み合わせること又は各色の輝度を変化させることによる複数色の単純な態様しか表示することができず、極め細やかな態様を表示することができなかった。
【０００４】
そこで、本発明は以上の点に鑑みてなされたものであり、表示可能な色に幅を持たせて、極め細かな態様を表示すると共に遊技の興趣を向上させることのできる遊技機を提供することを目的とする。
【課題を解決するための手段】
【０００５】
本発明は、上記課題を解決するために、表側において所定の画像を表示可能な表示手段（例えば、液晶表示装置７０）と、表示手段を制御する表示制御手段（例えば、制御回路）と、表示手段の表側において配備されるとともに透光性を有する部材で形成された装飾部材（例えば、装飾部材２００）とを備える遊技機であって、表示制御手段は、装飾部材の裏側において該装飾部材の形状に沿うような画像を表示手段に表示させることを特徴とするものである。
【０００６】
このような本願に係る発明によれば、表示制御手段が装飾部材の裏側において該装飾部材の形状に沿うような画像を表示手段に表示させることにより、当該画像が単純にＬＥＤから発する色よりも多い色で構成されるため、遊技機は、表示可能な色に幅を持たせて、極め細やかな装飾を行うことができるとともに遊技の興趣を向上させることができる。
【０００７】
上記発明においては、遊技領域を流下する遊技球の方向を変化可能な遊技部材（例えば、一般入賞口５）が配備され、遊技領域の少なくとも一部が表示手段の表側に配備された遊技盤（例えば、遊技盤３０）が備えられ、遊技盤は、少なくとも一部が透光性を有する部材で形成されており、装飾部材は、表示手段と遊技盤に形成されている透光性の部材との間に配備されてもよい。この場合には、装飾部材が表示手段と遊技盤に形成されている透光性の部材との間に配備されることにより、装飾部材の表側でも遊技球が転動可能となるため、遊技機は、装飾部材が配備されてとしても、遊技球が転動可能な広範な遊技領域を確保可能な構造を持つことができる。
【０００８】
上記発明においては、遊技盤と表示手段とを離間させるための離間部材（例えば、スペーサ１１０）と、遊技盤の裏側に配備され、遊技球が通過可能に形成された裏通路部（例えば、裏通路部２３０）とが備えられており、装飾部材は、装飾部材の一端側が離間部材に取り付けられ、装飾部材の他端側が裏通路部に取り付けられてもよい。この場合には、装飾部材の一端側が離間部材に取り付けられ、装飾部材の他端側が裏通路部に取り付けられることにより、装飾部材は、離間部材と裏通路部とをより強固に固定することができる。
【０００９】
上記発明においては、画像は、キャラクター又は背景を含む画像であってもよい。この場合には、画像がキャラクター又は背景を含むことにより、遊技機は、装飾部材の裏側においてより豊かな演出を実行することができ、遊技の興趣をより高めることができる。
【００１０】
上記発明においては、装飾部材は、表示手段に表示された画像からの光を拡散させるための光拡散部（例えば、光拡散部２１５）を備えてもよい。この場合には、光拡散部が表示手段に表示された画像からの光を適度に拡散するため、遊技機は、色・光の種類をより豊かにすることができ、遊技の興趣をより高めることができる。
【発明の効果】
【００１１】
本発明によれば、表示可能な色に幅を持たせて、極め細かな態様を表示すると共に遊技の興趣を向上させることができる。
【発明を実施するための最良の形態】
【００１２】
（遊技機の構成）
本実施形態における遊技機１の構成について、図面を参照しながら説明する。図１は、本実施形態における遊技機１の全体を示す斜視図である。図２は、遊技機１を構成する各部を分解した様子を示す分解説明図である。
【００１３】
遊技機１は、図２に示すように、ガラスドア１０と、皿ユニット２０と、遊技盤３０と、発射装置４０と、ベースドア６０と、液晶表示装置７０と、木枠８０と、払出ユニット９０と、基板ユニット１００とを備えている。
【００１４】
ガラスドア１０は、図２に示すように、ベースドア６０の一端側に対して開閉可能に軸着されている。このガラスドア１０の中央には、ガラスドア１０の表側と裏側とが連通した開口部１１が形成されている。この開口部１１には透明なガラス板が配備されており、このガラス板は、ガラスドア１０が閉められた状態で、遊技盤３０の表側に向い合うように配備されている。
【００１５】
皿ユニット２０は、ガラスドア１０の下方に配置されるようにベースドア６０に取り付けられている。この皿ユニット２０には、皿ユニット２０の上方には遊技領域に遊技球を発射させるための遊技球を貯留する上皿２０ａと、皿ユニット２０の下方には入賞に関する遊技球を受け入れるための下皿２０ｂとが配備されている。
【００１６】
遊技盤３０は、ガラスドア１０に配備されたガラス板の後方に配置され、ベースドア６０の表側に取り付けられている。この遊技盤３０は、少なくとも一部が透光性を有する部材で形成されている。この部材としては、例えば、無色透明のアクリル樹脂材、ボリカーボネート樹脂又はポリアリレート樹脂等の合成樹脂が挙げられる。
【００１７】
この遊技盤３０は、該遊技盤３０の表側又は裏側において遊技球が流下可能な遊技領域を備えている。この遊技盤３０には、遊技球の流下方向に変化を与え、又は遊技領域へ射出された遊技球を受け入れる遊技部材（例えば、遊技球の流下方向に変化を与える流下方向変化部材３，４、遊技球を受け入れる一般入賞口５、始動入賞装置６又は大入賞装置８など）、遊技領域へ射出された遊技球を排出するためのアウト口７等が配備されている。また、遊技盤３０の裏側には後述するスペーサが配備されている。
【００１８】
発射装置４０は、皿ユニット２０の側方に配置されるようにベースドア６０に着脱可能に取り付けられている。この発射装置４０は、回転操作されることにより遊技盤３０上の遊技領域に向けて遊技球を発射するように構成されている。
【００１９】
ベースドア６０は、木枠８０の一端側に対して開閉可能に軸着されている。このベースドア６０の上方にはスピーカー５０を収納可能な収容部６１が備えられている。この収容部６１にはスピーカー５０が嵌め込まれ、嵌め込まれたスピーカー５０が固定部材（図示せず）により固定される。
【００２０】
また、ベースドア６０の中央付近にはベースドア６０の表側と裏側とが連通した開口部６２が形成されている。上述の遊技盤３０は、開口部６２の表側と向い合う位置にベースドア６０に配備され、液晶表示装置７０は、開口部６２の裏側と向い合う位置にベースドア６０に配置されている。これにより、遊技者は、ガラスドア１０に配備されたガラス板と、遊技盤３０のうち透光性を有する部材とを介して、液晶表示装置７０における表示領域７０ａを視認することが可能となる。
【００２１】
液晶表示装置７０は、遊技盤３０のうち透光性を有する部材の裏側に配置されるように、ベースドア６０の裏側に取り付けられている。この液晶表示装置７０は、所定の画像を表示可能に構成されている。この所定の画像には、特別図柄制御処理により可変表示及び停止表示される特別図柄、普通図柄制御処理により可変表示及び停止表示される普通図柄、人物・動物・物を想起させるキャラクターの画像、又は背景が含まれる背景画像が挙げられる。
【００２２】
また、液晶表示装置７０は、遊技盤３０に配備された透光性を有する遊技部材（例えば、一般入賞口５、風車など）の裏側において、当該遊技部材の形状に沿うような画像を表示可能に構成されている。これにより、液晶表示装置７０は、遊技部材の装飾を擬似的に行なうことができる。
【００２３】
木枠８０は、遊技場に備えられている島設備に固定される部材であり、木枠８０の一端側でベースドア６０が開閉可能に軸着されている。この木枠８０には木枠８０の表側と裏側とが連通した開口部８０ａが形成されている。この開口部８０ａにはベースドア６０、液晶表示装置７０、払出ユニット９０、基板ユニット１００等が配置されている。
【００２４】
払出ユニット９０は、木枠８０の一端側で開閉可能に軸着されている。この払出ユニット９０は、遊技場における設備によって供給される遊技球を貯留する貯留タンク９０ａを備えている。この貯留タンク９０ａに貯留された遊技球が必要に応じて払出口（図示せず）へ誘導される。
【００２５】
基板ユニット１００は、払出ユニット９０が軸着されている一端と向い合う他端に軸着されている。この基板ユニット１００には、遊技機１における動作を主に制御するための電子部品等が配備された主制御基板（図示せず）、主制御基板から出力される命令信号に基づいて演出などを制御するための電子部品等が配備された副制御基板（図示せず）などが収納されている。
【００２６】
図３は、スペーサ１１０と裏通路部２３０と装飾部材２００との配置関係を示す分解図である。図４は、裏通路部２３０と装飾部材２００とがスペーサ１１０に取り付けられたときの様子を示す図である。
【００２７】
図３に示すように、スペーサ１１０は、遊技盤３０と液晶表示装置７０とを離間させるための離間部材であり、係止片１１１，１４０と、止め穴１１２と、遊技開口部１５０と、大入賞開口部１５１と、一般入賞開口部１５２ａ，１５２ｂと、始動開口部１５３と、衝突防止部材１２０，１２１，１３０とを備えている。
【００２８】
係止片１１１は、スペーサ１１０の表面に対して直角方向に立設された爪である。この係止片１１１が遊技盤３０に備えられた係止穴（図示せず）に嵌め込まれることにより、スペーサ１１０と遊技盤３０とが係止される。係止片１４０は、スペーサ１１０の裏面に対して直角方向に立設された爪である。この係止片１４０が裏通路部２３０に備えられた係止穴２７０に嵌め込まれることにより、スペーサ１１０と裏通路部２３０とが係止される。
【００２９】
遊技開口部１５０は、スペーサ１１０の表側と裏側とが連通した開口である。この遊技開口部１５０は、遊技盤３０のうち少なくとも一部の透明な部材と向い合う位置に配備されている。この遊技開口部１５０の表側に遊技盤３０が配備され、遊技開口部１５０の裏側に液晶表示装置７０が配備されることにより、遊技者は正面側から遊技盤３０の透明な部分を介して液晶表示装置７０に表示された画像を視認可能となる。
【００３０】
衝突防止部材１２０，１２１，１３０は、遊技開口部１５０の下部の側壁と一体に形成され、該側壁が上方に突出された部材であり、遊技盤３０の裏側において上方から下方に向かって落下する遊技球の衝突を防止するための部材である。この衝突防止部材１２０，１２１は、一般入賞口５が配置される位置に形成されている。また、衝突防止部材１３０は始動入賞装置６が配置される位置に形成されている。
【００３１】
一般入賞開口部１５２ａ，１５２ｂは、衝突防止部材１２０，１２１の内側に配備され、スペーサ１１０の表側と裏側とが連通した開口である。上述の一般入賞口５を通過した遊技球が一般入賞開口部１５２ａ，１５２ｂに備えられた穴１２０ａ，１２１ｂから出て、後述する裏通路部２３０へ誘導される。
【００３２】
始動開口部１５３は、衝突防止部材１３０の内側に配置され、スペーサ１１０の表側と裏側とが連通した開口である。大入賞開口部１５１は、大入賞装置８が配置される位置に形成され、スペーサ１１０の表側と裏側とが連通した開口である。
【００３３】
前記裏通路部２３０は、遊技球が通過可能に形成された部材であり、流路部２４０，２４１，２４２と、止め穴２４３と、開口部２６０とを備えている。流路部２４０，２４１，２４２は、遊技球が通過可能であり、一般入賞開口部１５２ａ，１５２ｂに備えられた穴１２０ａ，１２１ａから裏通路部２３０の下部へ遊技球を誘導するための流路である（図４参照）。開口部２６０は、大入賞開口部１５１と向い合う位置に形成され、裏通路部２３０の表側と裏側とが連通した開口である。  
前記装飾部材２００は、液晶表示装置７０の表側に配備されるとともに透光性を有する部材で形成された部材である。この装飾部材２００は、液晶表示装置７０と、遊技盤３０のうち透光性を有する部材との間に配備されている。
【００３４】
図５は、遊技盤３０とスペーサ１１０と装飾部材２００と裏通路部２３０とが一体に取り付けられた様子を示す図である。図５に示すように、装飾部材２００は、装飾部材２００の一端２１０に穴２１０ａと、装飾部材２００の他端２２０に穴２１０ｂとを備えている。この穴２１０ａと、図３に示すスペーサ１１０に備えられた穴１１２とが合せられた状態で、固定部材（図示せず）が穴２１０ａと穴１１２とに螺着されることにより、装飾部材２００の一端２１０がスペーサ１１０に取り付けられる。同様にして、穴２２０ａと、図３に示す裏通路部２３０に備えられた穴２４３とが合せられた状態で、固定部材（図示せず）が穴２２０ａと穴２４３とに螺着されることにより、装飾部材２００の他端２２０が裏通路部２３０に取り付けられる。
【００３５】
図６は、装飾部材２００の詳細を示す図である。図６（ａ）は、全体が透光性を有する部材で形成された装飾部材２００を示す図である。この装飾部材２００は、円弧状に形成されているが、これに限定されるものではなく、植物（例えば、樹木）、動物、人などの形状に形成されてもよい。また、装飾部材２００は、少なくとも一部が透光性を有する部材で構成されていればよい。
【００３６】
この装飾部材２００の裏側において装飾部材２００の形状に沿うような画像が液晶表示装置７０に表示される。この画像は、単一色からなる色彩画像、物・動物を想起させるキャラクターの画像、又は背景が含まれる背景画像などが挙げられる。この画像は、液晶表示装置７０を制御する制御回路（図示せず）によって表示される。この画像は、遊技の進行（例えば、通常の遊技、大当たり遊技、リーチが発生している遊技など）に応じて変更されてもよい。
【００３７】
なお、装飾部材２００の裏側に表示される画像は、装飾部材２００に密接する画像であってもよい。例えば、装飾部材２００が樹木の形状に形成されている場合には、装飾部材２００の裏側で表示される画像は、樹木の葉、木の実などが挙げられる。これにより、装飾部材２００に密接する画像が装飾部材２００の裏側に表示されることにより、遊技機１は、遊技者に当該画像を見させながら遊技を行なわせることができ、遊技の興趣を高めさせることができる。
【００３８】
なお、樹木の葉が画像として表示される場合には、当該樹木の葉の色が段階的に変化されてもよい。この樹木の葉が段階的に変化することにより、遊技機１は、遊技者に四季を想起させることができ、遊技の興趣を高めさせることができる。
【００３９】
なお、装飾部材２００は、液晶表示装置７０に表示された画像からの光を拡散させるための光拡散部２１５を備えてもよい。図６（ｂ）は、光拡散部２１５の詳細を示す図である。図６（ｂ）に示すように、光拡散部２１５は、装飾部材２００の表面上に形成された溝により形成されている。この装飾部材２００に光拡散部２１５が形成されることにより、液晶表示装置７０に表示された画像から発せられる光が適度に拡散されるため、遊技機１は、光による演出を更に高めることができる。なお、光拡散部２１５は溝により形成されているが、これに限定されるものではなく、透光性を有する凸部材又はシール部材であってもよい。
【００４０】
なお、制御回路（図示せず）は、識別情報がリーチ態様となる可能性の高いことを予告する態様（いわゆるリーチ予告）、又は大当りとなる可能性が高いことを予告する態様（いわゆる大当り予告）であるとして、装飾部材２００の裏側において表示された一部又は全部の画像を変更させてもよい。
【００４１】
なお、本実施形態では、画像を表示する部分として液晶ディスプレイパネルから構成されている液晶表示装置７０が用いられているが、これに限定されずに、他の装置であってもよい。例えば、液晶表示装置７０は、ＣＲＴ（Cathode Ray Tube）を備えるブラウン管、ＥＬ（Electronic Luminescent）又はプラズマ等から構成されてもよい。
【００４２】
（遊技機による作用及び効果）
このような本願に係る発明によれば、液晶表示装置７０が装飾部材２００の裏側において該装飾部材２００の形状に沿うような画像を表示することにより、当該画像が単純にＬＥＤから発する色よりも多い色で構成されるため、遊技機１は、表示可能な色に幅を持たせて、極め細やかな装飾を行うことができるとともに遊技の興趣を向上させることができる。
【００４３】
また、装飾部材２００が液晶表示装置７０と遊技盤３０に形成されている透光性の部材との間に配備されることにより、装飾部材２００の表側でも遊技球が転動可能となるため、遊技機１は、装飾部材２００が配備されてとしても、遊技球が転動可能な広範な遊技領域を確保可能な構造を持つことができる。
【００４４】
さらに、装飾部材２００の一端側がスペーサ１１０に取り付けられ、装飾部材２００の他端側が裏通路部２３０に取り付けられることにより、装飾部材２００は、スペーサ１１０と裏通路部２３０とをより強固に固定することができる。また、画像がキャラクター又は背景を含むことにより、遊技機１は、装飾部材２００の裏側においてより豊かな演出を実行することができ、遊技の興趣をより高めることができる。
【００４５】
また、光拡散部２１５が液晶表示装置７０に表示された画像からの光を適度に拡散するため、遊技機１は、色・光の種類をより豊かにすることができ、遊技の興趣をより高めることができる。
【図面の簡単な説明】
【００４６】
【図１】本実施形態における遊技機の外観を示す図である。
【図２】本実施形態における遊技機の各部を分解した様子を示す分解図である。
【図３】本実施形態におけるスペーサと裏通路部と装飾部材との配置関係を示す図である。
【図４】本実施形態におけるスペーサと裏通路部と装飾部材とが一体に取り付けられた様子を示す図である。
【図５】本実施形態における遊技盤とスペーサと裏通路部と装飾部材とが一体に取り付けられた様子を示す図である。
【図６】本実施形態における光拡散部を示す図である。
【符号の説明】
【００４７】
１…遊技機、３，４…流下方向変化部材、５…一般入賞口、６…始動入賞装置、７…アウト口、８…大入賞装置、１０…ガラスドア、１１…開口部、２０…皿ユニット、２０ａ…上皿、２０ｂ…下皿、３０…遊技盤、４０…発射装置、５０…スピーカー、６０…ベースドア、６１…収容部、６２…開口部、７０…液晶表示装置、７０ａ…表示領域、８０…木枠、８０ａ…開口部、９０…払出ユニット、９０ａ…貯留タンク、１００…基板ユニット、１１０…スペーサ、１１１…係止片、１１２…穴、１２０，１２１，１３０…衝突防止部材、１２０ａ，１２１ａ…穴、１４０…係止片、１５０…遊技開口部、１５１…大入賞開口部、１５２ａ，１５２ｂ…一般入賞開口部、１５３…始動開口部、２００…装飾部材、２１０…一端、２１０ａ，２１０ｂ…穴、２１５…光拡散部、２２０…他端、２３０…裏通路部、２４０，２４１，２４２…流路部、２４３…穴、２６０…開口部、２７０…係止穴
【図１】
2005270139.tif 000003
【図２】
2005270139.tif 000004
【図３】
2005270139.tif 000005
【図４】
2005270139.tif 000006
【図５】
2005270139.tif 000007
【図６】
2005270139.tif 000008